(57)【要約】【課題】  炭酸を生成するための構造に比較的簡易なものを用いながらも、十分な血行促進効果を得ることができる血行促進装置を提供する。【解決手段】  水を加熱して、スチームを生成するスチーム生成部４１と、炭酸を生成する生成部４２と、生体の少なくとも一部を挿入可能な槽３と、生成部４２で生成された炭酸を槽３に供給する炭酸供給路４２４と、スチーム生成部４１で生成されたスチームを槽３に供給するスチーム供給路４１３とを備えることを特徴とする血行促進装置である。【選択図】      図２
2006034613.tif 000002
【特許請求の範囲】
【請求項１】
水を加熱して、スチームを生成するスチーム生成部と、
炭酸ガス又は炭酸水を生成する生成部と、
生体の少なくとも一部を挿入可能な槽と、
前記生成部で生成された炭酸ガス又は炭酸水を前記槽に供給する炭酸供給路と、
前記スチーム生成部で生成されたスチームを前記槽に供給するスチーム供給路とを備えること
を特徴とする血行促進装置。
【請求項２】
前記生成部は、
電解質を含む水を蓄えるための電解槽と、
炭素電極である陽極と、陰極とから成り、該電解槽内で電気分解を行って、前記電解槽内の水を炭酸水に変化させる電極対とを備え、
前記炭酸供給路は、前記電解槽内の炭酸水を粒子化する粒子化部を備え、該粒子化部で粒子化した炭酸水を前記槽に供給すること
を特徴とする請求項１に記載の血行促進装置。
【請求項３】
前記生成部は、
前記電解槽内の水を加温して、スチームを生成させる第１の加温部を更に備え、
前記生成部が前記スチーム生成部を兼ねること
を特徴とする請求項２に記載の血行促進装置。
【請求項４】
前記生成部の動作を制御する制御部を更に備え、
前記制御部は、起動開始時から所定時間間隔の間、前記電極対に前記電解槽内で電気分解を行わせ、前記所定時間間隔の経過後に、前記第１の加熱部にスチームを生成させること
を特徴とする請求項３に記載の血行促進装置。
【請求項５】
前記生成部は、
温度条件に応じて、空気に含まれる炭酸ガスを吸着乃至は脱離させる炭酸ガス吸脱着部材と、
前記炭酸ガス吸脱着槽へ空気を導入するための通気路と、
前記炭酸ガス吸脱着部材に加温して、該炭酸ガス吸脱着部材の温度条件を変更する第２の加温部と、
を備えること
を特徴とする請求項１に記載の血行促進装置。
【請求項６】
前記生成部が、前記スチーム供給路の途中に配置されており、
前記スチーム生成部は、前記第２の加温部を兼ね、スチームを用いて前記生成部を加温すること
を特徴とする請求項５に記載の血行促進装置。
【請求項７】
前記生成部は、
給水された水を貯水可能な貯水タンクと、
該貯水タンクに貯水された水を前記炭酸ガス吸脱着部材に給水する給水路とを更に備え、
前記生成部は、前記スチーム生成部を兼ね、前記給水路から給水された水を、前記第２の加温部で加温して、スチームを生成すること
を特徴とする請求項５に記載の血行促進装置。
【請求項８】
前記生成部は、
電解質を含む水を蓄えるための電解槽と、
炭酸電極である陽極と、陰極とから成り、該電解槽内で電気分解を行って、前記電解槽内の水を炭酸水に変化させる電極対と、
前記電解槽内の炭酸水を曝気させ、炭酸ガスを生成させる曝気部とを備え、
前記炭酸供給路は、前記電解槽内で生成された炭酸ガスを前記槽に供給すること
を特徴とする請求項１に記載の血行促進装置
【請求項９】
前記曝気部に対して、前記槽内の空気を循環させる通気路が形成されていること
を特徴とする請求項８に記載の血行促進装置。
【発明の詳細な説明】
【技術分野】
【０００１】
本発明は、生体の少なくとも一部の血行を促進するための血行促進装置に関するものである。
【背景技術】
【０００２】
従来、血行促進や冷えの改善を目的として、下記のような血行促進装置が提案されている。まず、手や足等の人体の少なくとも一部を湯に浸たして部分的に温める血行促進装置がある（例えば、特許文献１を参照）。また、炭酸ガスを人体に吹き付けて、炭酸ガスを経皮吸収させ、これによって、毛細血管を拡張させて、血行を促進する血行促進装置がある（例えば、特許文献２を参照）。
【特許文献１】特開２００３−３１０６９９号公報
【特許文献２】特開２００２−２８２３１６号公報
【発明の開示】
【発明が解決しようとする課題】
【０００３】
従来の、湯を用いて人体に対して温熱を付与する血行促進装置では、血行不良の程度が大きい場合には、血行促進効果が十分に得られない場合があった。また、炭酸ガスを人体に吹き付けるタイプの血行促進装置では、人体の血行を十分に促進させるためには、比較的多量の炭酸ガスを人体に導入させる必要があり、かかる比較的多量の炭酸ガスを発生させるために、炭酸を生成するための構造に簡易なものを用いることが困難であった。
【０００４】
本発明は、上記事情に鑑みて為されたものであり、炭酸を生成するための構造に比較的簡易なものを用いながらも、十分な血行促進効果を得ることができる血行促進装置を提供することを目的とする。
【課題を解決するための手段】
【０００５】
上記目的を達成するために、本発明にかかる血行促進装置は、水を加熱して、スチームを生成するスチーム生成部と、炭酸ガス又は炭酸水を生成する生成部と、生体の少なくとも一部を挿入可能な槽と、生成部で生成された炭酸ガス又は炭酸水を槽に供給する炭酸供給路と、スチーム生成部で生成されたスチームを槽に供給するスチーム供給路とを備えることを特徴とする。      
【０００６】
上述した血行促進装置では、生成部は、電解質を含む水を蓄えるための電解槽と、炭素電極である陽極と、陰極とから成り、該電解槽内で電気分解を行って、電解槽内の水を炭酸水に変化させる電極対とを備え、炭酸供給路は、電解槽内の炭酸水を粒子化する粒子化部を備え、該粒子化部で粒子化した炭酸水を槽に供給することを特徴とする。
【０００７】
上述した血行促進装置では、生成部は、電解槽内の水を加温して、スチームを生成させる第１の加温部を更に備え、生成部がスチーム生成部を兼ねることを特徴とする。
【０００８】
上述した血行促進装置では、生成部の動作を制御する制御部を更に備え、制御部は、起動開始時から所定時間間隔の間、電極対に電解槽内で電気分解を行わせ、所定時間間隔の経過後に、第１の加熱部にスチームを生成させることを特徴とする。
【０００９】
上述した血行促進装置では、生成部は、温度条件に応じて、空気に含まれる炭酸ガスを吸着乃至は脱離させる炭酸ガス吸脱着部材と、炭酸ガス吸脱着槽へ空気を導入するための通気路と、炭酸ガス吸脱着部材に加温して、該炭酸ガス吸脱着部材の温度条件を変更する第２の加温部とを備えることを特徴とする。
【００１０】
上述した血行促進装置では、生成部が、スチーム供給路の途中に配置されており、スチーム生成部は、第２の加温部を兼ね、スチームを用いて生成部を加温することを特徴とする。
【００１１】
上述した血行促進装置では、生成部は、給水された水を貯水可能な貯水タンクと、貯水タンクに貯水された水を炭酸ガス吸脱着部材に給水する給水路とを更に備え、生成部は、スチーム生成部を兼ね、給水路から給水された水を、第２の加温部で加温して、スチームを生成することを特徴とする。
【００１２】
上述した血行促進装置では、生成部は、電解質を含む水を蓄えるための電解槽と、炭素電極である陽極と、陰極とから成り、該電解槽内で電気分解を行って、電解槽内の水を炭酸水に変化させる電極対と、電解槽内の炭酸水を曝気させ、炭酸ガスを生成させる曝気部とを備え、炭酸供給路は、電解槽内で生成された炭酸ガスを前記槽に供給することを特徴とする。
【００１３】
上述した血行促進装置では、曝気部に対して、槽内の空気を循環させる通気路が形成されていることを特徴とする。
【発明の効果】
【００１４】
本発明によれば、スチーム生成部によって、スチームが生成され、生成されたスチームが、スチーム供給路によって、槽に供給される。これとともに、生成部によって、炭酸ガス又は炭酸水が生成され、生成された炭酸ガス又は炭酸水が、炭酸供給路によって、槽に供給される。
【００１５】
炭酸ガス又は炭酸水は人体に付着されると、経皮吸収され、人体の血管を拡張させて、血行を促進させることは知られているが、本出願の発明者達は、スチームとともに、炭酸ガス又は炭酸水を人体に付着させると、スチームを伴わずに付着させる場合と比較して、少量の炭酸ガスで、人体の血行を促進させる効果を奏することを発見した。
【００１６】
したがって、本発明では、スチームとともに、炭酸が容器内に供給されるため、従来技術と比較して、少量の炭酸ガスを用いて、槽内に挿入された生体の血行を促進させることができる。ゆえに、血行促進装置で、比較的少量の炭酸ガスを生成する生成部を用いることが可能となるため、簡易な構成の生成部を用いて、十分に人体の血行を促進することができる血行促進装置を提供することができる。
【発明を実施するための最良の形態】
【００１７】
以下に図面を用いて、本発明の実施形態を説明する。なお、各図面において、同一の符号が付されているものについては、同一の構成であるものとして、説明を省略する。
【００１８】
（第１の実施形態）
以下に、本発明の第１の実施形態を図１及び図２を用いて説明する。図１は、本発明の第１の実施形態にかかる血行促進装置１の概略側面構成図である。図２は、図１で示す血行促進源生成部４を概略的に説明するための側面構成図である。
【００１９】
図１において、血行促進装置１は、上部が開口したケース２内に、温浴槽（槽の一例）３と、該温浴槽３に隣接配置された血行促進源生成部４とを備える。
【００２０】
ケース２は、例えば樹脂製のものであり、間仕切り２１によって主室及び副室の２室に仕切られ、副室が、血行促進源生成部４の収納部となり、主室が温浴槽３となっている。温浴槽３は、例えば足等の人体（生体の一例）の一部が、ケース２の一面に形成された開口部２ａより挿入可能に構成されている。血行促進源生成部４は、炭酸水及びスチームを生成して、間仕切り２１に形成された開口部２２を介して、温浴槽３に供給するものである。
【００２１】
血行促進源生成部４の一側面には、外部から水を血行促進源生成部４内に導入するための給水口６ａが形成され、給水口６ａは、蓋７で閉じられるようになっている。
【００２２】
図２において、血行促進源生成部４は、耐水性の樹脂製等の框体４０内に、スチーム生成部４１と、該スチーム生成部４１に隣接配置された炭酸生成部（生成部の一例）４２とを備える。
【００２３】
スチーム生成部４１は、給水された水を貯水可能な貯水タンク４１１と、貯水タンク４１１の一面に亘って配置された電気ヒータ４１２とを備える。
【００２４】
貯水タンク４１１の一面には、給水口６ａに連なる給水路６から分岐された、給水路６２の出口が取り付けられており、これによって、貯水タンク４１１内に外部から水が給水されるようになっている。また、貯水タンク４１１には、温浴槽３に連通されたスチーム供給路４１３が形成されている。電気ヒータ４１２は、例えば電気抵抗が高く、電源部（図略）から電力が供給されることで、いわゆるオーム熱を生じるもの等であり、これによって、貯水タンク４１１内の水を加熱して、スチームを生成させるものである。該生成されたスチームは、スチーム供給路４１３を介して、温浴槽３内に供給される。
【００２５】
炭酸生成部４２は、例えば耐水性の樹脂等で形成された電解槽４２１と、電解槽４２１内に配置された電極対４２２と、電解槽４２１の一面に亘って配置された電気ヒータ４２３とを備える。電解槽４２１には、給水路６から分岐された給水路６１の出口が取り付けられ、これによって、電解槽４２１内に外部から陰イオンや陽イオン（電解質）を含む水が給水されるようになっている。また、電解槽４２１には、一端が温浴槽３に連通された、炭酸供給路４２４の他端が取り付けられている。炭酸供給路４２４は、スチーム供給路４１３の上方に配置され、これによって、温浴槽３内には、スチームとともに、該スチームの上方から炭酸水が供給されるようになっている。
【００２６】
電極対４２２は、例えば、ステンレス等の金属製の陰極４２２１と、炭素を成分とする陽極４２２２とから成る。電極対４２２は、電源（図略）から電力が供給され、これによって、電極対４２２間に電流が通じて、電極対４２２間で電気分解が行われる。これによって、陽極４２２２から炭酸ガス（ＣＯ２）が発生し、炭酸ガスの溶存した炭酸水が生成される。電気ヒータ４２３は、例えば電気抵抗が高く、電源（図略）から電力が供給されることでいわゆるオーム熱を生じるもの等であり、例えば５０℃程度になり、これによって、人体を温めるのに好適な温度（例えば４０度程度）まで電解槽４２１内の水を加熱するものである。
【００２７】
上述した炭酸供給路４２４の途中には、ポンプ（炭酸給水部の一例）４２５が取り付けられ、ポンプ４２５は、電解槽４２１内の炭酸水を汲み上げて、炭酸供給路４２４を介して、温浴槽３に給水するようになっている。炭酸供給路４２４の出口には、電解槽４２１から汲み上げた炭酸水を粒子化するためのノズル（粒子化部）４２４ａが取り付けられ、ノズル４２４ａで粒子化した炭酸水が温浴槽３内に供給される。
【００２８】
以下に、上述の血行促進装置１の動作を説明する。準備として、給水路６、６１、６２を介して、貯水タンク４１１内及び電解槽４２１内に、例えば水道水等の水が給水されている。主電源（図略）がオンされると、制御部に電力が供給される。制御部によって、電気ヒータ４１２に電源部（図略）から所定の電力が供給されるように、制御される。これによって、電気ヒータ４１２が加熱される。これによって、電気ヒータ４１２が、貯水タンク４１１内の水を加熱させて、スチームが生成され、該スチームが、スチーム供給路４１３を介して温浴槽３内に供給される。このスチームによって、温浴槽３内に挿入された手や足等の人体の一部が温められ、血行を促進させることができる。
【００２９】
また、電気ヒータ４１２への電力の供給とともに、電極対４２２には、電源部（図略）を介して電力が供給される。これによって、電解槽４２１内の水に、陽極４２２２から炭酸ガス（ＣＯ２）が発生し、炭酸ガスの溶存した炭酸水が生成される。その後、時間間隔を空けて、電気ヒータ４２３に電力が供給され、電解槽４２１内の炭酸水が、電気ヒータ４２３によって、人体に冷たさを感じさせない程度の温度（例えば、２５℃〜４０℃）まで温められる。電気ヒータ４２３及び陽極４２２２への電力の供給の開始時から所定時間経過後に、ポンプ４２５に、電源部（図略）から電力が供給される。これによって、電解槽４２１内の炭酸水が、ポンプ４２５によって、炭酸供給路４２４を介して汲み上げられ、ノズル４２４ａによって温浴槽３内に吹付けられる。
【００３０】
上記構成によって、第１の実施形態にかかる血行促進装置１では、温浴槽３内に、炭酸生成部４２から炭酸供給路４２４を介して、炭酸水が供給されるとともに、スチーム生成部４１からスチーム供給路４１３を介して、スチームが供給される。
【００３１】
炭酸は人体に付着されると、人体の血管を拡張させて、血行を促進させることは知られている。ここで、本出願の発明者達は、スチームとともに、炭酸ガスを付着させると、スチームを伴わずに付着させる場合と比較して、同量の炭酸ガスで、より人体の血行を促進させる効果を奏することを発見した。
【００３２】
第１の実施形態では、上記のようにスチームとともに、炭酸ガスの溶存する炭酸水が供給されるため、従来技術と比較して、より効果的に人体の血行を促進することができる。
【００３３】
また、血行促進装置１では、陽極４２２２に炭素電極を用いた電極対４２２間で電解を行うことで、炭酸水を生成するタイプの炭酸生成部４２が用いられている。この炭酸生成部４２は、簡易な構成であるとともに、スチームとともに供給されるに十分な炭酸ガスを溶存する炭酸水を生成するに適している。ゆえに、血行促進装置１は、簡素な構成でありながら、人体の血行を効果的に促進できる。
【００３４】
（第２の実施形態）
以下に、図３を用いて、本発明の第２の実施形態を説明する。第１の実施形態では、スチーム生成部４１で生成されたスチームが温浴槽３内に供給されるが、第２の実施形態では、スチーム生成部４１の機能を炭酸生成部４２が兼ね、炭酸生成部４２で生成されたスチームが温浴槽３内に供給される。即ち、第２の実施形態にかかる血行促進装置１Ａは、スチーム生成部４１の機能を炭酸生成部４２が兼ねる血行促進源生成部４Ａを、血行促進源生成部４に代えて用いる点のみが異なっており、その他の構成については同一である。以下、異なる点についてのみ説明し、同一の構成については、説明を省略する。
【００３５】
図３は、第２の実施形態にかかる血行促進源生成部４Ａを概略的に説明するための側面構成図である。
【００３６】
血行促進源生成部４Ａでは、炭酸生成部４２は、給水路６が連通されているとともに、スチームを炭酸生成部４２から温浴槽３内に導くスチーム供給路４１３が形成されている。血行促進装置１Ａの起動開始時（例えば、主電源がオンされた時）から所定の時間間隔の間、電極対４２２には、電解槽４２１内に炭酸を供給させるに足る電力が電源部（図略）から供給されるように、電極対４２２の電力の供給量が、制御部（図略）によって制御されている。そして、電気ヒータ（第１の加温部の一例）４２３の温度は、電解槽４２１内の水を、人体に冷たさを感じさせない程度の温度（例えば、２５℃〜４０℃）に加熱可能な温度まで上昇されるように、制御部（図略）によって制御される。
【００３７】
また、電気ヒータ４２３の温度は、血行促進装置１Ａの起動開始時から所定の時間間隔の経過後に、電解槽４２１内の水を蒸発させるに足る温度まで上昇するように、制御部（図略）によって制御される。ポンプ４２５は、血行促進装置１Ａの起動開始時から所定の時間間隔の経過後に、電源部（図略）から電力が供給されて、炭酸供給路４２４を介して電解槽４２１内の炭酸水を汲み上げ、汲み上げられた水は、ノズル４２４ａによって、温浴槽３内に吹付けられる。
【００３８】
血行促進源生成部４Ａのその他の構成は、図２に示す血行促進源生成部４と同一の構成であるため、説明を省略する。
【００３９】
第２の実施形態における、血行促進装置１Ａの動作を説明する。血行促進装置１Ａの起動開始時から所定の時間間隔の間、陽極４２２２に電源部（図略）から電力が供給されるとともに、電気ヒータ４２３の温度が、電解槽４２１内の水を、人体に冷たさを感じさせない程度の温度に加熱可能な温度まで上昇するように、制御部（図略）によって設定される。これによって、電解槽４２１内の水は、陽極４２２２から炭酸が溶存されるとともに、人体に冷たさを感じさせない程度の温度まで加熱される。そして、血行促進装置１Ａの起動開始時から所定の時間間隔の経過後に、電解槽４２１内の炭酸水が、ポンプ４２５によって汲み上げられて、炭酸供給路４２４を介して温浴槽３内に供給される。次に、電気ヒータ４２３の温度が、電解槽４２１内の水を蒸発させるに足る温度まで上昇するように、制御部（図略）によって設定され、これによって、電解槽４２１内の炭酸水が蒸発し、スチームが発生して、スチーム供給路４１３を介して、温浴槽３内に供給される。
【００４０】
上記構成によって、第２の実施形態では、炭酸生成部４２が、第１の実施形態におけるスチーム生成部４１の機能を兼ねることで、血行促進源生成部４Ｂの構成をより簡素化することができる。また、炭酸水が高温になると、炭酸水中に溶存されていた炭酸ガスが空気中に飛散してしまい、炭酸水中の炭酸ガスの溶存量が小さくなってしまうが、本実施形態では、温浴槽３内への炭酸水の供給と、スチームの供給とを別のタイミングで行うため、電気ヒータ４２３の温度を、電解槽４２１内の炭酸水における炭酸ガスの溶存量を多く維持できるものに設定することが可能となり、温浴槽３内に炭酸ガスの溶存量の多い炭酸水を吹付けることができる。更に、温浴槽３内に炭酸水が吹付けられてから、スチームが供給されるため、炭酸によって人体の血管を拡張させてから、温熱を付与することができるため、効率良く、温浴槽３内の血行を促進することができる。また、電気ヒータ４２３の温度を序々に高めるように、温度制御がなされるため、電気ヒータ４２３の温度制御が比較的容易である。
【００４１】
（第３の実施形態）
以下に、図４を用いて、本発明の第３の実施形態を説明する。第１の実施形態では、炭素電極を用いて、電解槽４２１内の水を炭酸水に変化させ、炭酸水が温浴槽３内に供給されているが、第３の実施形態では、第１の実施形態とは異なった方法で、空気中のＣＯ２ガスを利用して、該炭酸ガスが温浴槽３内に供給される。即ち、第３の実施形態にかかる血行促進装置１Ｂでは、炭酸ガスを発生させる血行促進源生成部４Ｂを、血行促進源生成部４に代えて備えることのみが、第１の実施形態とは構成が異なり、その他の構成については同一の構成である。以下、同一の構成については説明を省略し、血行促進源生成部４Ｂの構成のみを説明する。
【００４２】
図４は、第３の実施形態にかかる血行促進源生成部４Ｂを概略的に説明するための側面構成図である。血行促進源生成部４Ｂは、スチーム生成部４１とともに、該スチーム生成部４１に隣接配置された炭酸ガス生成部（生成部の一例）４３を備える。スチーム生成部４１の構成は、給水路６が給水路６２に分岐されていないため、給水路６に連通されること以外は、図２に示すものと同一の構成であるため、説明を省略する。
【００４３】
炭酸ガス生成部４３は、炭酸ガス吸脱着槽４３１と、炭酸ガス吸脱着槽４３１の一面に亘って取り付けられた、電気ヒータ（加温部の一例）４３２と、炭酸ガス吸脱着槽４３１の前方側の側部に形成された通気路４３３とを備える。炭酸ガス吸脱着槽４３１は、温度条件に応じて、炭酸ガスを吸着乃至は脱離させる炭酸ガス吸脱着部材４３１１が充填されたものである。具体的には、炭酸ガス吸脱着槽４３１は、所定レベル以下の温度になると大気中の炭酸ガスを吸着させ、所定レベル以上の温度になると吸着させた炭酸ガスを脱離して、炭酸ガスを放出するものである。炭酸ガス吸脱着部材４３１１には、例えば、イオン交換樹脂（例えば、アミノ基（ＮＨ２）を持つもの）やゼオライト、リチウムシリケート等が用いられる。イオン交換樹脂は、炭酸イオンと他の陰イオンとを交換可能な、多孔質の陰イオン交換材であるが、小型でありながら、十分な炭酸ガスの吸着効果があるため、特に好ましい。また、炭酸ガス吸脱着槽４３１には、一端が温浴槽３に連通された、炭酸供給路４２４の他端が取り付けられており、炭酸供給路４２４によって、炭酸ガス吸脱着槽４３１内で発生された炭酸ガスが温浴槽３内に供給される。
【００４４】
電気ヒータ４３２は、例えば、電気抵抗が高く、電源部（図略）から電力が供給されていわゆるオーム熱を生じるもの等であり、これによって、炭酸ガス吸脱着部材４３１１を加温するためのものである。電気ヒータ４３２の加熱レベルは制御部（図略）によって制御されて、炭酸ガスの吸着乃至は脱離のための、炭酸ガス吸脱着部材４３１１の温度条件が調節されるものである。
【００４５】
通気路４３３は、炭酸ガス吸脱着槽４３１から外部までを連通させるように形成されたものである。通気路４３３には、途中にファン４３４が取り付けられ、ファン４３４は、電源部（図略）から電力が供給されることで作動して、炭酸ガス吸脱着槽４３１へ外部から空気を導入するようになっている。
【００４６】
以下に、上述した第３の実施形態にかかる血行促進装置１Ｂの動作を説明する。スチーム生成部４１の動作は、第１の実施形態と同様であるため、説明を省略する。主電源（図略）がオンされると、ファン４３４に電力が供給されて、所定時間の間、炭酸ガス吸脱着部材４３１１に炭酸ガスを吸着させる所定レベルで作動される。これによって、通気路４３３を介して、外気が炭酸ガス吸脱着槽４３１内に導入されて、炭酸ガス吸脱着部材４３１１に外気中の炭酸ガスが吸着される。その後、電気ヒータ４３２に対して、電源部（図略）から電力が供給されて、電気ヒータ４３２が加熱される。このとき、ファン４３４の送風レベルが、温浴槽３内に炭酸ガスを導入させるに足る送風レベルに、小さく変更される。これによって、炭酸ガス吸脱着部材４３１１が、電気ヒータ４３２によって所定レベル以上まで加熱され、これによって吸着させた炭酸ガスを脱離して、炭酸ガスを発生させる。炭酸ガスは、炭酸供給路４２４を介して、温浴槽３内に供給される。
【００４７】
上述したように、第３の実施形態にかかる血行促進装置１では、炭酸ガス吸脱着部材４３１１を用いて、炭酸ガスを生成する炭酸ガス生成部４３が用いられている。炭酸ガス生成部４３は、簡易な構成であるとともに、スチームとともに供給されるに十分な炭酸ガスを生成するに適している。ゆえに、血行促進装置１は、簡素な構成でありながら、人体の血行を効果的に促進できる。
【００４８】
（第４の実施形態）
以下に、図５を用いて、本発明の第４の実施形態を説明する。第３の実施形態では、スチーム生成部４１と、炭酸ガス生成部４３とが連通されていなかったが、第４の実施形態では、炭酸ガス生成部４３が、スチーム供給路４１３の途中に配置されており、スチーム生成部４１が第３の実施形態の電気ヒータ４３２の機能を兼ねて、生成したスチームを用いて、炭酸ガス吸脱着部材４３１１を加温する。即ち、第４の実施形態にかかる血行促進装置１Ｃは、生成したスチームを用いて、炭酸ガス吸脱着部材４３１１を加温する血行促進源生成部４Ｃを、血行促進源生成部４に代えて用いる点のみが、第３の実施形態と異なっている。以下、同一の構成については説明を省略し、血行促進源生成部４Ｃの構成のみを説明する。
【００４９】
図５は、第４の実施形態にかかる血行促進源生成部４Ｃを概略的に説明するための側面構成図である。炭酸ガス生成部４３は、スチーム供給路４１３の途中に配置されており、これによって、通気路４３３から炭酸ガス生成部４３に導入された空気が、スチーム供給路４１３を介して、温浴槽３内に供給されるようになっている。また、スチーム生成部４１で発生されたスチームが、炭酸ガス吸脱着槽４３１内を通って、スチーム供給路４１３を介して温浴槽３内に供給されるようになっており、このスチームによって、炭酸ガスを脱離する所定レベル以上に炭酸ガス吸脱着部材４３１１を加温できるようになっている。
【００５０】
以下に、第４の実施形態における、血行促進装置１Ｃの動作を説明する。炭酸ガス吸脱着部材４３１１に炭酸ガスを吸着させるための動作は、第３の実施形態と同様であるため、説明を省略する。電気ヒータ４１２に対して、電源部（図略）から電力が供給されて、電気ヒータ４１２が、貯水タンク４１１内の水を蒸発させるに足る温度まで加熱されるように制御部（図略）によって、温度制御される。このとき、ファン４３４の送風レベルが、温浴槽３内に炭酸ガスを導入させるに足る送風レベルに、小さく設定される。これによって、貯水タンク４１１内の水が蒸発して、スチームが発生して、炭酸ガス吸脱着部材４３１１を通過して、スチーム供給路４１３を介して、温浴槽３内に供給される。ここで、炭酸ガス吸脱着部材４３１１は、スチームによって所定レベル以上にまで加温され、このため、吸着させた炭酸ガスが脱離され、炭酸ガスが発生する。発生した炭酸ガスは、スチーム供給路４１３を介して、温浴槽３内に供給される。
【００５１】
上記構成によって、第４の実施形態にかかる血行促進装置１Ｃでは、スチームの流れの下流側に、炭酸ガス生成部４３が配置されているため、スチームの熱を用いて、炭酸ガス吸脱着部材４３１１の温度条件を調節することができる。これによって、スチーム生成部４１が、第３の実施形態での電気ヒータ４１２の機能を兼ねるため、一層、構成の簡素化を図ることができる。
【００５２】
（第５の実施形態）
以下に、図６を用いて、本発明の第５の実施形態を説明する。第３の実施形態では、スチーム生成部４１でスチームを発生しているが、第５の実施形態では、炭酸ガス生成部４３が、スチーム生成部４１の機能を兼ねており、炭酸ガス吸脱着槽４３１内に、給水された水を、電気ヒータ４３２によって加温して、スチームを生成する。即ち、第５の実施形態にかかる血行促進装置１Ｄは、炭酸ガス生成部４３がスチーム生成部４１の機能を兼ねる血行促進源生成部４Ｄを、血行促進源生成部４Ｂに代えて備えることのみが、第３の実施形態とは構成が異なり、その他の構成については同一の構成である。
【００５３】
以下、同一の構成については説明を省略し、血行促進源生成部４Ｄの構成のみを説明する。
【００５４】
図６は、第５の実施形態にかかる血行促進源生成部４Ｄを概略的に説明するための側面構成図である。炭酸ガス生成部４３は、第３の実施形態における構成に加えて、給水路６の出口が連通された貯水タンク４４と、貯水タンク４４から炭酸ガス吸脱着槽４３１への給水路４５とを更に備える。貯水タンク４４は、例えば樹脂等で形成された略直方体状の内空の部材であり、給水路６から給水された水を貯水するためのものである。給水路４５の途中には、開閉弁４６が取り付けられ、開閉弁４６は、制御部（図略）によって、その開閉が制御され、閉塞状態では、貯水タンク４４からの水を塞き止め、解放状態では、塞き止めていた水を解放させて、炭酸ガス吸脱着槽４３１内に給水する。
【００５５】
また、通気路４３３には、ファン４３４より後方側に、開閉弁４７が取り付けられ、制御部（図略）によって、その開閉が制御され、閉塞状態では、炭酸ガス吸脱着槽４３１と外部との間の連通を遮断して、炭酸ガス吸脱着槽４３１内に導入された水を塞き止め、解放状態では、炭酸ガス吸脱着槽４３１と外部との間の連通させて、外気を炭酸ガス吸脱着槽４３１内に導入させる。
【００５６】
炭酸ガス吸脱着槽４３１は、ここでは、耐水性の樹脂等で形成されており、開閉弁４７が閉塞状態であるときには、貯水タンク４４から供給された水を貯水可能になっている。炭酸ガス吸脱着槽４３１は、貯水タンク４４内の全ての水が供給された場合に、高さ方向で半ば程度まで、水が給水されるようになっている。炭酸ガス吸脱着部材４３１１には、イオン交換樹脂ではなく、ゼオライトが用いられることが好ましい。イオン交換樹脂が用いられた場合には、スチームに含まれる塩素イオン等の陰イオンが、樹脂とイオン交換してしまい、炭酸イオンを吸着・脱離できなくなってしまうからである。電気ヒータ４３２は、第５の実施形態では、炭酸ガス吸脱着槽４３１内に貯水された水を蒸発させる温度にまで加熱して、炭酸ガス吸脱着槽４３１内にスチームを発生させるとともに、貯水された水の温度を上昇させることで、炭酸ガス吸脱着部材４３１１を加熱して、吸着させた炭酸ガスを脱離させ、炭酸ガス吸脱着槽４３１上部の空気中に放出させて炭酸ガスを発生させる。
【００５７】
炭酸ガス吸脱着槽４３１には、温浴槽３内に一端が連通されたスチーム供給路４１３の他端が連通されており、炭酸ガス吸脱着槽４３１内に発生されたスチーム及び炭酸ガスが、スチーム供給路４１３を介して温浴槽３内に供給されるようになっている。
【００５８】
以下に、上述した第５の実施形態にかかる血行促進装置１Ｄの動作を説明する。準備として、開閉弁４６が閉塞された状態で、給水路６を介して、貯水タンク４４内に水が給水されており、貯水タンク４４には水が貯水されている。主電源（図略）がオンされると、開閉弁４７が制御部（図略）によって解放されるとともに、ファン４３４に電力が供給されて、所定時間の間、所定レベルで作動される。これによって、通気路４３３を介して、外気が炭酸ガス吸脱着槽４３１内に導入されて、炭酸ガス吸脱着部材４３１１に外気中の炭酸ガスが吸着される。
【００５９】
その後、ファン４３４の作動が停止された上で、開閉弁４７が閉塞されて、外部と炭酸ガス吸脱着槽４３１との連通が遮断される。これとともに、開閉弁４６が解放されて、貯水タンク４４内の水が炭酸ガス吸脱着槽４３１内に導入される。そして、電気ヒータ４３２に対して、電源部（図略）から所定の電力が供給されて、電気ヒータ４３２の温度が、炭酸ガス吸脱着槽４３１内の水を蒸発させるに足る温度まで上昇するように、制御部（図略）によって制御される。これによって、炭酸ガス吸脱着槽４３１内の水が蒸発して、炭酸ガス吸脱着槽４３１内にスチームが発生する。これとともに、炭酸ガス吸脱着槽４３１内の水が加熱されることで、炭酸ガス吸脱着部材４３１１が所定レベル以上まで加熱されて、吸着させた炭酸ガスを脱離し、脱離された炭酸ガスが炭酸ガス吸脱着槽４３１上部の空気中に放出されて炭酸ガスが発生する。発生した炭酸ガスは、炭酸供給路４１３を介して、温浴槽３内に供給される。
【００６０】
上記構成によって、第５の実施形態にかかる血行促進装置１Ｄでは、炭酸ガス生成部４３が、第３の実施形態におけるスチーム生成部４１の機能を兼ねるため、血行促進源生成部４Ｄの構成の簡素化を図ることができる。
【００６１】
また、温浴槽３内に供給されるスチームに、炭酸ガスを溶存させることができるため、スチームに溶存したかたちで、炭酸ガスを人体に付着させることができ、更に、人体に対する血行促進効果を向上させることができる。
【００６２】
（第６の実施形態）
以下に、図７を用いて、本発明の第６の実施形態を説明する。第１の実施形態では、電解槽４２１内の炭酸水が温浴槽３内に供給されているが、第６の実施形態では、温浴槽３内から循環させた空気を、電解槽４２１内の炭酸水に送り込んで曝気させ、炭酸ガスを生成させて、温浴槽３内に給水する。即ち、第６の実施形態にかかる血行促進装置１Ｅは、血行促進源生成部４に代えて、電解槽４２１内の炭酸水に送り込んで曝気させることで、炭酸ガスを生成させる血行促進源生成部４Ｅを備えることと、温浴槽３内の空気を血行促進源生成部４Ｅに供給するための通気路４８が形成されていることのみが、第１の実施形態とは構成が異なり、その他の構成については同一の構成である。以下、同一の構成については説明を省略し、血行促進源生成部４Ｅ及び通気路８の構成のみを説明する。
【００６３】
図７は、第６の実施形態にかかる血行促進源生成部４Ｅ及び通気路８を概略的に説明するための側面構成図である。血行促進源生成部４Ｅでは、電解槽４２１は、その一部に、血行促進源生成部４Ｅの外部との間の通気路４８が連通されている。通気路４８の途中には、エアポンプ（曝気部の一例）４９が取り付けられている。エアポンプ４９は、電源部（図略）によって作動されて、通気路４８を介して、血行促進源生成部４Ｅの外部からの空気を電解槽４２１内に送るものである。これによって、電解槽４２１内の炭酸水が曝気されて、電解槽４２１内に炭酸ガスが発生する。なお、第６の実施形態では、炭酸ガスが炭酸供給路４２４を通って、温浴槽３内に供給されるため、第１の実施形態のようなポンプ４２５が炭酸供給路４２４に取り付けられていない。
【００６４】
通気路４８の入口には、入口が温浴槽３内に配置された通気路８の出口が取り付けられており、これによって、温浴槽３内の空気がエアポンプ４９に導入され、エアポンプ４９によって、温浴槽３内の空気が電解槽４２１内に導入され、炭酸水が曝気されるようになっている。
【００６５】
以下に、第６の実施形態にかかる血行促進装置１の動作を説明する。スチーム生成部４１の動作及び、炭酸生成部４２の炭酸水を生成するための動作については、第１の実施形態と同様であるため、説明を省略する。電気ヒータ４２３及び陽極４２２２への電力の供給の開始時から、電解槽４２１内の水が、該温度まで温められるとともに、人体の血行を促進するのに十分な炭酸ガスを溶存するだけの時間の経過後、電源部（図略）からエアポンプ４９への電力の供給が開始される。これによって、エアポンプ４９によって、空気が通気路４８を介して電解槽４２１内の炭酸水内に供給されることで、炭酸水が曝気され、炭酸ガスが発生する。発生した炭酸ガスは、炭酸供給路４２４を介して温浴槽３内に供給される。ここで、電解槽４２１内に供給される空気は、通気路８を介して、温浴槽３内から導入されたものである。このため、温浴槽３と、炭酸生成部４２との間で空気が循環することになり、経時的に、血行促進装置１内の空気中の炭酸ガスの濃度が上昇する。
【００６６】
上記構成によって、第６の実施形態にかかる血行促進装置１では、温浴槽３と、炭酸生成部４２との間で空気が循環することになり、経時的に、血行促進装置１内の空気中の炭酸ガスの濃度が上昇するため、温浴槽３内に挿入された人体への血行促進効果を向上させることができる。すなわち、人体への血行促進効果は、付与される炭酸ガスの量に依存するため、血行促進装置１内の空気中の炭酸ガスの濃度が上昇して、温浴槽３内に供給される空気中の炭酸ガスの濃度が上昇されることで、温浴槽３内に挿入された人体への血行促進効果を向上させることができる。
【図面の簡単な説明】
【００６７】
【図１】本発明の第１の実施形態にかかる血行促進装置の概略側面構成図である。
【図２】図１で示す血行促進源生成部を概略的に説明するための側面構成図である。
【図３】第２の実施形態にかかる血行促進源生成部を概略的に説明するための側面構成図である。
【図４】第３の実施形態にかかる血行促進源生成部を概略的に説明するための側面構成図である。
【図５】第４の実施形態にかかる血行促進源生成部を概略的に説明するための側面構成図である。
【図６】第５の実施形態にかかる血行促進源生成部を概略的に説明するための側面構成図である。
【図７】第６の実施形態にかかる血行促進源生成部及び通気路を概略的に説明するための側面構成図である。
【符号の説明】
【００６８】
１、１Ａ、１Ｂ、１Ｃ、１Ｄ、１Ｅ  血行促進装置
３        温浴槽（槽の一例）
６、６１  給水路
８        通気路
４１      スチーム生成部
４１３    スチーム給水路
４２      炭酸生成部（生成部の一例）
４２１    電解槽
４２２    電極対
４２２１  陰極
４２２２  陽極
４２３    電気ヒータ（第１の加温部の一例）
４２４    炭酸供給路
４３      炭酸ガス生成部（生成部の一例）
４３１１  炭酸ガス吸脱着部材
４３２    電気ヒータ（第２の加温部の一例）
４３３    通気路
４５      給水路
４９      エアポンプ（曝気部）
【図１】
2006034613.tif 000003
【図２】
2006034613.tif 000004
【図３】
2006034613.tif 000005
【図４】
2006034613.tif 000006
【図５】
2006034613.tif 000007
【図６】
2006034613.tif 000008
【図７】
2006034613.tif 000009